(57)【要約】      （修正有）【課題】画像表示装置その他を様々な姿勢で利用する際に、画像表示装置を手で保持することなく最適な位置に調整し身体及び眼精疲労を少なくなくするとともに、画像表示操作をしやすくする。【解決手段】支持具１００は、全体がＵ字形状となる本体と、画像表示装置を保持する保持部とから構成され、本体は略円柱状の枕部と、枕部の両端から略直角方向に延出すると共に枕部と略同径で且つ略円柱状の側枕部４とからなる。保持部は、平板状の取付面部６とその両端に設けた支持アーム７とからなる。取付面部６の略中央には、画像表示装置を保持するホルダ８が回転可能な状態で設けられている。支持具を仰向けで使用する場合、ユーザが寝た状態で後頭部を枕部で支持する。この固定状態で、ホルダ８に取り付けた画像表示装置Ｓがユーザの顔に面する。これにより、ユーザは、画像表示装置Ｓの画像を見たり、指で画像表示装置Ｓを操作できる。【選択図】図３
2016067851.tif 000002
【特許請求の範囲】
【請求項１】
クッション性を有する枕部と、
当該枕部の端部から当該枕部の長手方向に対して直交する方向に設けたクッション性を有する側枕部と、
当該側枕部から延出した支持アームを有すると共に前記枕部に面するように前記支持アームに対して取付面部を設け、この取付面部に画像表示装置を保持するホルダを設けた保持部と、
を有することを特徴とする支持具。
【請求項２】
更に、前記側枕部の端部には、側枕部の長手方向に対して略直角方向で下方に突起部が設けられていることを特徴とする請求項１に記載の支持具。
【請求項３】
一対のクッション性を有する側枕部と、
当該側枕部からそれぞれ延出した支持アームを有すると共に当該支持アームに対して略直角方向に取付面部を設け、この取付面部に画像表示装置を保持するホルダを設けた保持部と、
を有することを特徴とする支持具。
【請求項４】
前記ホルダは、複数のアームを有すると共にアームの端部にアームの長手方向に沿って移動して所望位置で位置決めされる爪を有することを特徴とする請求項１〜３のいずれか一つに記載の支持具。
【請求項５】
前記ホルダは、前記取付面部に設けられる本体プレートと、当該本体プレートに対して伸縮する前記アームとから構成されることを特徴とする請求項１〜４のいずれか一つに記載の支持具。
【請求項６】
前記保持部の支持アームは、伸縮可能な構造であることを特徴とする請求項１〜５のいずれか一つに記載の支持具。
【発明の詳細な説明】
【技術分野】
【０００１】
本発明は、パソコン、携帯端末及びテレビ、書籍等の画像表示装置を様々な姿勢で操作する際に使用する支持具に関するものである。
【背景技術】
【０００２】
近年、パソコン、携帯端末及びテレビ等の画像表示装置の小型化と軽量化が進み、コンパクトなサイズの画像表示装置を様々なシーンで手軽に利用できるようになった。これら小型化と軽量化が進んだ画像表示装置は、従来の机やテレビ台等に設置して利用するだけでなく、携帯して場所を問わずに利用できる利点を備えており、寝ころんで使用したり、車の中で使用したり、画像表示装置を設置する机等がない場所で画像表示装置等を使用する機会も多い。
【０００３】
かかる場合、画像表示装置等は手で持って支えなければならず、画像表示装置の重量によって手に負荷がかかり長時間の使用時には疲労が蓄積する。また、画像表示装置を操作する際に、画像表示装置を支えている手は使えないため、他方の手のみで操作しなければならず、操作しにくい。さらに、画像表示装置等は座ったり寝ころんだり、様々な姿勢で使用することが可能であるが、その際に手で支えているとどうしても眼から画像表示装置等までの距離が短くなるため、長時間の使用時は眼精疲労が蓄積する。
【０００４】
特許文献１は、ベット上で寝ころんで情報機器の観賞をする場合に利用する、ベッド用の書物または情報機器用載置台であり、ベッド両側の構成部材に半円弧状のアームを固着し情報機器を載置する発明である。
【先行技術文献】
【特許文献】
【０００５】
【特許文献１】特開２００５−２８７８８３号公報
【発明の概要】
【発明が解決しようとする課題】
【０００６】
しかしながら、上記特許文献１の情報機器用載置台では、情報機器を載置する台をベッド構成部材に取り付ける必要があるため、ベッドがない場所で寝ころんで情報機器を操作する際には利用することができない。また、ベッド上で利用する際も、寝返りを打ったり、姿勢を変える際は、その都度、アームを動かして最適な位置を調整しなおさなければならず、長時間の使用の際には使いにくく、また、眼精疲労を伴うという問題が発生する。
【０００７】
すなわち、寝ころんだ姿勢で画像表示装置等を操作する場合には、画像表示装置を固定するためのベッドの枠部が近くにないと、画像表示装置と利用者との距離が遠くなるため、画面が見づらく、画像表示装置の操作がしにくい。さらに、画像表示装置等を操作するためには一方の手のみしか使えず不便である。また、ベッド上で画像表示装置等を操作する場合において、ベッドの枠部に画像表示装置等を固定できたとしても、様々な姿勢に柔軟に対応することができないので、姿勢を変えるたびに情報機器用載置台の位置を調節し直さねばならず、ベッドから身体を起して座った状態では画像表示装置等を最適な場所に固定することは難しい。
【０００８】
この発明は、これらの課題を解決するためになされたものであり、画像表示装置その他を様々な姿勢で利用する際に、画像表示装置その他を手で保持することなく最適な位置に調整し身体及び眼精疲労を少なくなくするとともに、画像表示操作をしやすくするための発明である。
【課題を解決するための手段】
【０００９】
本発明の支持具は、クッション性を有する枕部と、当該枕部の端部から当該枕部の長手方向に対して直交する方向に設けたクッション性を有する側枕部と、当該側枕部から延出した支持アームを有すると共に前記枕部に面するように前記支持アームに対して取付面部を設け、この取付面部に画像表示装置を保持するホルダを設けた保持部とを有することを特徴とする。
【００１０】
更に、前記側枕部の端部には、側枕部の長手方向に対して略直角方向で下方に突起部が設けるようにするのが好ましい。
【００１１】
また、本発明の支持具は、一対のクッション性を有する側枕部と、当該側枕部からそれぞれ延出した支持アームを有すると共に当該支持アームに対して略直角方向に取付面部を設け、この取付面部に画像表示装置を保持するホルダを設けた保持部とを有することを特徴とする。
【００１２】
また、前記ホルダは、複数のアームを有すると共にアームの端部にアームの長手方向に沿って移動して所望位置で位置決めされる爪を有するものとするのが好ましい。また、前記ホルダは、前記取付面部に設けられる本体プレートと、当該本体プレートに対して伸縮する前記アームとから構成されるようにするのが好ましい。また、前記保持部の支持アームは、伸縮可能な構造とするのが好ましい。
【図面の簡単な説明】
【００１３】
【図１】この発明の実施の形態１に係る支持具を示す斜視図である。
【図２】図１に示した支持具の別方向からの斜視図である。
【図３】この支持具の使用方法を示す説明図である。
【図４】この支持具の使用方法を示す説明図である。
【図５】この支持具の使用方法を示す説明図である。
【図６】支持具の詳細な形状を理解するための六面図である。
【図７】支持具の変形例を示す斜視図である。
【図８】図１に示した支持具のホルダを示す斜視図である。
【図９】ホルダの詳細な形状を理解するための六面図である。
【図１０】図１に示した支持具のホルダを示す斜視図である。
【図１１】所謂タブレットパソコンを保持した状態を示す説明図である。
【図１２】所謂スマートフォンを保持した状態を示す説明図である。
【図１３】他の実施の形態に係るホルダを示す斜視図である。
【図１４】図１３に示すホルダによりスマートフォンを固定する場合を示す説明図である。
【図１５】この発明の実施の形態２に係る支持具を示す斜視図である。
【図１６】支持具の使用方法を示す説明図である。
【図１７】支持具の詳細な形状を理解するための六面図である。
【図１８】支持具の斜視図である。
【図１９】支持具の斜視図である。
【図２０】支持具の使用方法を示す説明図である。
【図２１】支持具の使用方法を示す説明図である。
【図２２】支持具の使用方法を示す説明図である。
【図２３】ユーザがソファに座って使用する場合を示す説明図である。
【図２４】ユーザが横になって使用する場合を示す説明図である。
【図２５】支持具の変形例を示す斜視図である。
【図２６】支持具の変形例を示す斜視図である。
【発明を実施するための形態】
【００１４】
（実施の形態１）
図１は、この発明の実施の形態１に係る支持具を示す斜視図である。図２は、図１に示した支持具の別方向からの斜視図である。この支持具１００は、全体がＵ字形状となる本体１と、当該本体１に連結した画像表示装置を保持する保持部２とから構成される。図６は、支持具の詳細な形状を理解するための六面図であり、（ａ）は平面図、（ｂ）は正面図、（ｃ）は左側面図、（ｄ）は右側面図、（ｅ）は底面図、（ｆ）は背面図である。
【００１５】
本体１は、頭部を載せる大きさを有する略円柱状の枕部３と、枕部３の両端から略直角方向に延出すると共に当該枕部３と略同径で且つ略円柱状の側枕部４とからなる。枕部３及び側枕部４は、内部に金属フレームが設けられると共にその金属フレームの周囲にクッション材を設け、外側に布材で覆った構造である。クッション材には、ウレタン、綿、羽根等を用いる。これにより、本体１が全体としてＵ字形状となり且つクッション性が高い枕となる。主に、前記枕部３は使用状態において後頭部を支持し、側枕部４は使用状態において側頭部を支持することになる。
【００１６】
側枕部４の端部には、山形の突起部５が形成される。突起部５は、側枕部４の長手方向に対して略直角方向であって同図に示すように床面載置状態で下方を向いており、使用状態で前記側枕部４がユーザの側頭部に位置するとき前記突起部５がユーザの肩に当接するようにその大きさが設定される。この突起部５は、換言すれば肩に当接して保持部２の位置を上手くユーザの顔の正面に位置させる機能を備えたものであるから、突起部５に代えて側枕部４が全体として端部に行くほど略直角方向の幅が大きくなるようにしても良い（図示省略）。
【００１７】
前記保持部２は、長方形ないし短冊形であって平板状の取付面部６と、取付面部６の両端に当該取付面部６の長手方向に対して略直角方向に延出させた支持アーム７とからなる。取付面部６の略中央には、画像表示装置を保持するホルダ８が回転可能な状態で設けられている。ホルダ８の詳細な構造及び動作については、後述する。保持部２は、全体がＵ字形状となる。保持部２の全体は、樹脂のプレートで一体成形しても良いし、端縁を可撓性のある金属ワイヤーで構成してワイヤーの間に布や樹脂板を設けた構成でも良い。保持部２は、画像表示装置の重量を支持できるのに十分な剛性を持たせる。また、前記支持アーム７は、長手方向に伸縮可能な構成としても良い（図示省略）。
【００１８】
保持部２の支持アーム７は、前記本体１の側枕部４の外側面に連結している。側枕部４の長手方向と支持アーム７の長手方向は略一致しており、換言すれば側枕部４を直線的に延長したように当該支持アーム７が側枕部４に連結される。これにより、取付面部６は、前記枕部３と略平行に位置し、取付面部６（ホルダ８）が枕部３に対面するようになる。
【００１９】
図３乃至図５は、この支持具の使用方法を示す説明図である。ホルダ８には、画像表示装置Ｓを固定する（固定方法等については後述する）。支持具１００を仰向けで使用する場合、図３に示すように、ユーザが寝た状態で後頭部を枕部３で支持する。詳細には、ユーザの後頭部と首筋との間位に枕部３を位置させる。この状態で、前記突起部５がユーザの肩付近に当接し、支持具１００の床面に対する傾きが固定される。この固定状態で、前記ホルダ８に取り付けた画像表示装置Ｓがユーザの顔に面する。
【００２０】
これにより、ユーザは、画像表示装置Ｓの画像を見たり、指で画像表示装置Ｓを操作できる。また、前記枕部３はクッション性に富むので、ユーザは、枕部３に頭部を載せた心地よい状態で画像表示装置Ｓを操作できる。また、画像表示装置Ｓを保持部２により保持するので、ユーザが手で持つ必要がない。このため、画像表示装置Ｓを長時間使用しても手が疲れない。
【００２１】
次に、ユーザが横向きで使用する場合、図４に示すように、支持具１００を床面に対して横向きに寝かせる。即ち、側枕部４が横になってその外側面が床につくようにし、側枕部４の内側面にユーザの側頭部を載せる。また、前記同様、突起部５が肩に当接するようにする。これにより、ユーザの頭部と床に挟まれて支持具１００は位置が固定される。この固定状態で、前記ホルダ８に取り付けた画像表示装置Ｓがユーザの顔に面する。
【００２２】
側枕部４は、枕部３の左右に設けられているので、どちらを横に倒しても使用できる。同図の例では、ユーザが左側頭部を下にして支持具１００を使用している例を示す。この場合、右手を使うと画像表示装置Ｓを操作しやすい。側枕部４も、前記枕部３と同様にクッション性に富むので、ユーザは側枕部４に頭部を載せて心地よい状態で画像表示装置Ｓを操作できる。横向き使用の場合、床面と側頭部と床面との間に側枕部４が入るので、頭部を床面に略水平に保持でき、換言すれば首を体に対してまっすぐにできるので、楽な姿勢で画像表示装置Ｓを操作できる。更に、また、画像表示装置Ｓを保持部２により保持するので、ユーザが手で持つ必要がない。このため、画像表示装置Ｓを長時間使用しても手が疲れない。
【００２３】
更に、図５に示すように、ソファに座った状態で使用することもできる。ソファの背もたれの上に枕部３を載せ、ユーザの後頭部を枕部３で支持すると共に、突起部５はユーザの肩に載った状態とする。この状態で取付面部６はユーザの顔に面する。そして、ホルダ８の角度を調整して画像表示装置Ｓを見やすく且つ操作しやすい位置に固定する。なお、枕部３内部の金属フレームに対して連結可能な背板１０を使用しても良い（図中点線で示す）。この背板１０は、一端縁で金属フレームに固定される。枕部３には、前記背板１０を差し込む切り込み（図示省略）が設けられている。なお、背板１０の前記枕部３に対する固定方法は、これに限定されない。背板１０を設けることで、背板１０をソファの背もたれとユーザの背中との間に挟み、支持具１００の位置を固定できる。これにより、支持具１００の全体が動き難くなるので、使用中に安定した姿勢を保つことができる。
【００２４】
図７は、支持具の変形例を示す斜視図であり、（ａ）は使用状態の斜視図、（ｂ）は側面図である。この支持具１００では、支持アーム７を伸縮可能な構造にしても良い。同図に示すように、支持アーム７を側枕部４に取り付けたスリーブ部７ａと、当該スリーブ部７ａに挿通するロッド部７ｂとから構成する。スリーブ部７ａの間には布や樹脂の面が形成される。ロッド部７ｂは、スリーブ部７ａに対して任意に出し入れ可能であり、当該ロッド部７ｂの伸縮により取付面部６の位置を調整する。スリーブ部７ａとロッド部７ｂとの嵌め合いは締りばめとし、ロッド部７ｂを強く引いて所定位置で止めることでその位置を保持するものとする。その他、スリーブ部７ａとロッド部７ｂとの位置決めを、ネジやラッチ等で行うようにしても良い。
【００２５】
［ホルダ構造］
図８は、図１に示した支持具のホルダを示す斜視図である。図９は、ホルダの詳細な形状を理解するための六面図であり、（ａ）は平面図、（ｂ）は正面図、（ｃ）は背面図、（ｄ）は右側面図、（ｅ）は左側面図、（ｆ）は裏面図である。
【００２６】
このホルダ８は、前記取付面部６に回転可能に設けられ且つ矩形平板状の本体プレート１１と、本体プレート１１の両側に設けたＵ形支持アーム１２とから構成される。本体プレート１１は裏面の中央位置に回転軸１３が突出しており、この回転軸１３が前記取付面部６に設けた軸穴を貫通し、取付面部６の背面において固定ナットで固定される。前記固定ナットは、蝶ナットのような取っ手が設けられたものが良いが、これに限定されるものではない。
【００２７】
Ｕ形支持アーム１２は、左右のアーム部１４を有し、このアーム部１４にはそれぞれ長穴１５が設けられている。長穴１５には、ネジ部を有する摘み部１６とナット（図示省略）により、略Ｖ形の保持爪１７が取り付けられる。ネジ部が長穴１５を貫通しているので、前記保持爪１７は、摘み部１６を緩めることで長穴１５に沿って自在に移動して任意の位置で固定できる。保持爪１７の方向も摘み部１６のネジ部を中心に回転自在であり、任意の方向を向けて固定できる。
【００２８】
また、図１０に示すように、本体プレート１１に対してＵ形支持アーム１２は伸張可能である。Ｕ形支持アーム１２の本体プレート１１側の端部には、スライド板１８が設けられている。スライド板１８にはガイド長穴１９が形成され、表面には位置決めするための凹凸面２０が設けられている。前記本体プレート１１は、二層構造であって上部板１１ａと下部板１１ｂとの間に前記スライド板１８が挿通される。
【００２９】
本体プレート１１には、Ｕ形支持アーム１２を所定位置でロックするレバー２１が設けられている。レバー２１の先端には、当該レバー２１により動作する爪（図示省略）が設けられる。当該爪は、前記凹凸面２０の所定位置に噛み込む動作とこれを解放する動作とにより、本体プレート１１に対するＵ形支持アーム１２の位置決めを行う。前記ガイド長穴１９には、上部板１１ａと下部板１１ｂとの間に渡って設けた突起（図示省略）が挿通される。また、中央に設けた突起２２がスライド板１８の端部に当接する。これにより、Ｕ形支持アーム１２が本体プレート１１に対して直線状にスライドする。
【００３０】
レバー２１を解放することで、Ｕ形支持アーム１２は本体プレート１１に対して直線的に移動可能となる。Ｕ形支持アーム１２を本体プレート１１から所定距離だけ引き出した状態でレバー２１を閉じることで、当該レバー２１の爪が凹凸面２０に噛み込み、本体プレート１１に対してＵ形支持アーム１２を位置決め固定できる。Ｕ形支持アーム１２は、本体プレート１１の両側に対して当該本体プレート１１の回転中心を点対称として同じ構造となる。このため、Ｕ形支持アーム１２は、上下のレバー２１を解放することで両側のＵ形支持アーム１２を拡張できるし、上下いずれかのレバー２１を解放することで一方のＵ形支持アーム１２のみを拡張できる。これにより、大きなサイズの画像表示装置にも容易に対応できる。
【００３１】
図１１は、所謂タブレットパソコンを保持した状態を示す説明図である。図１２は、所謂スマートフォンを保持した状態を示す説明図である。まず、図１１に示すように、タブレットパソコンＳＬを保持する場合、固定ナットを緩めて本体プレート１１を取付面部６に対して４５度回転させ、当該固定ナットを締めてその位置で固定する。そして、本体プレート１１のレバー２１を解放して当該本体プレート１１から左右のＵ形支持アーム１２を拡張し、Ｕ形支持アーム１２の先端に設けた保持爪１７がタブレットパソコンの角周辺に位置するようにし、再びレバー２１を操作して当該位置でＵ形支持アーム１２を固定する。
【００３２】
そして、摘み部１６を緩めて保持爪１７をガイド長穴１９に沿って自由に動かすと共に、当該保持爪１７を適宜回転させてその直線部分をタブレットパソコンＳＬの角付近の縁に当接させる。この状態で、再び前記摘み部１６を締めて保持爪１７を固定する。これにより、Ｕ形支持アーム１２によりタブレットパソコンＳＬが対角線角部付近で挟まれて固定される。前記摘み部１６は、前記保持爪１７よりも幅が大きいので、タブレットパソコンＳＬは、前記保持爪１７で挟まれた状態において当該摘み部１６により厚さ方向でも固定係止される。
【００３３】
次に、図１２に示すように、所謂スマートフォンＳＳを保持する場合、固定ナットを緩めて本体プレート１１を取付面部６に対して水平または垂直にして再び固定ナットを締めて固定し、本体プレート１１のレバー２１を固定したままＵ形支持アーム１２に設けた摘み部１６を緩め、保持爪１７を回転可能とする。そして、保持爪１７をガイド長穴１９に沿って移動させ、当該保持爪１７の谷部１７ａをスマートフォンＳＳの角に嵌め込み、その状態で摘み部１６を締めて固定する。この作業を全ての摘み部１６で行い、スマートフォンＳＳを四隅で挟んで固定する。以上のようにすれば、レバー２１、ホルダ８により各種のサイズの画像表示装置Ｓを保持できる。
【００３４】
図１３は、他の実施の形態に係るホルダを示す斜視図である。このホルダ５０は、２本のアーム５１をクロス状に重ねてその中心部５５で回転自在に固定され、締りばめによる軸接続でアーム５１同士を回転させて任意の角度で固定できる。アーム５１の中心から取付面部６側に突設した軸（図示省略）にはボールジョイント（図示省略）が設けられ、このボールジョイントは前記取付面部６に固定される。アーム５１の端部には、爪５２が回転可能に設けられている。爪５２はＤ形状であり、換言すれば一方側が凸面で他方側が凹面となる形状である。爪５２はアーム５１の先端に設けた回転軸５３をもって回転可能であり、締りばめにより任意の角度回転させて固定できる。
【００３５】
図１４は、図１３に示すホルダによりスマートフォンを固定する場合を示す説明図である。このホルダ５０でスマートフォンＳＳを縦方向に保持する場合、アーム５１を相対的に回転させてスマートフォンＳＳの長手方向の端縁に爪５２を当接させる。そして、それぞれの爪５２を回転させて凹面の２点でスマートフォンＳＳの端縁を支持する。また、１点で支持したい場合は、凸面をスマートフォンＳＳ側に向けて当該凸面をスマートフォンＳＳの端縁に当接させる。なお、図１２に示す例では、２つの爪５２では２点でスマートフォンを支持し、残りの２つの爪５２では１点でスマートフォンを支持した状態を示している。このように、各爪５２を回転させることで、スマートフォンＳＳを１点又は２点の任意で支持できる。
【００３６】
また、このホルダ５０は、取付面部６に対してボールジョイントで連結しているので、フレキシブルに方向を変えることができる。このため、スマートフォンＳＳをユーザの顔に対して最適な方向に向けることができる。ボールジョイントは摩擦力で動いた状態を保持できる。
【００３７】
（実施の形態２）
図１５は、この発明の実施の形態２に係る支持具を示す斜視図である。この支持具２００は、同図（ａ）に示すように、ユーザの後頭部を支持する枕部２０１と、枕部２０１に設けた支持アーム２０２と、支持アーム２０２の先端に設けたホルダ２０３とから構成される。
【００３８】
前記枕部２０１は、固定プレート２０４の上部にクッション材を設けた構造であり、外装は布製である。固定プレート２０４は樹脂または金属製である。支持アーム２０２は、本体２０５とスライダ２０６とを備える。前記固定プレート２０４には、前記支持アーム２０２の本体２０５の端部が固定されている。当該本体２０５は、固定プレート２０４との間に第一回転軸２０７を備える。本体２０５は、第一回転軸２０７を中心に枕部２０１の長手方向に対して略直交方向に回動可能となる。当該支持アーム２０２は、湾曲形状であり且つ他端には前記スライダ２０６が設けられる。
【００３９】
前記スライダ２０６は、湾曲した長尺の板材から形成され、中央に長穴２０８が設けられる。スライダ２０６は、支持アーム２０２の本体２０５に対してスライド可能に設けられる。具体的には、支持アーム２０２の本体２０５にはネジ２０９が設けられ、当該ネジ２０９はスライダ２０６の長穴２０８を貫通してナットにより当該スライダ２０６を本体２０５に対して固定している。このため、ネジ２０９を緩めることで前記スライダ２０６が本体２０５に沿ってスライドし、所望の位置でスライダ２０６を固定できる。
【００４０】
また、スライダ２０６の端部には、ホルダ２０３を固定する取付面部２１０が設けられている。この取付面部２１０は前記スライダ２０６に対して第二回転軸２１１により連結している。第二回転軸２１１により、取付面部２１０は、スライダ２０６の面が折れ曲がるような方向に回動可能となる。
【００４１】
また、前記支持アーム２０２の枕部２０１側は分割されており、第三回転軸２１２により支持アーム２０２の面方向に回転可能に軸支されている。同図の例では、枕部２０１の背後又は頭部を支持したときの頭頂部側において軸支される。これにより、図１５（ｂ）に示すように、支持アーム２０２が枕部２０１に対して左右に９０度回転可能となる。
【００４２】
上記第一回転軸２０７、第二回転軸２１１及び第三回転軸２１２は、いずれも適切に摩擦力が設定されて回転した状態を保持する。
【００４３】
図１６は、この支持具の使用方法を示す説明図である。この支持具２００は、同図（ａ）に示すように、床に置いた状態でユーザの後頭部を枕部２０１で支持する。支持アーム２０２の傾きは第一回転軸２０７により適切な位置に調整する。この状態では、ホルダ２０３に保持したスマートフォンＳＳがユーザの顔に面していない。ユーザは、同図（ｂ）に示すように、スライダ２０６を固定しているネジ２０９を緩めてスライダ２０６を伸ばし、ホルダ２０３に保持したスマートフォンＳＳが顔の正面に位置するようにする。
【００４４】
そして、スマートフォンＳＳが離れていて見にくい場合、同図（ｃ）に示すように、スライダ２０６の第二回転軸２１１で前記取付面部２１０を折り曲げ、スマートフォンＳＳを顔に近づける。これにより、ユーザは、スマートフォンＳＳの画面を見やすく且つ指で操作しやすくなる。さらに、支持アーム２０２が大きくユーザの頭部を回避して前記ホルダ２０３がユーザの顔に面するようになるので、ユーザの頭部の周囲に十分なスペースが形成される。これにより、ユーザの手が支持アーム２０２に引っ掛り難い。
【００４５】
この実施の形態２に示すホルダ２０３は、上記実施の形態１に示すホルダ２０３のいずれも採用できるので、詳細な構造の説明は省略する。
【００４６】
以上の支持具２００によれば、仰向けに寝た姿勢でも、横向きに寝た姿勢でもスマートフォン等の画像表示装置を見たり、操作したりできる。
【００４７】
（実施の形態３）
図１７は、支持具の詳細な形状を理解するための六面図であり、（ａ）は平面図、（ｂ）は正面図、（ｃ）は左側面図、（ｄ）は右側面図、（ｅ）は底面図、（ｆ）は背面図である。図１８は、この支持具の斜視図である。
【００４８】
この支持具３００は、全体がＵ字形状となる本体３０１と、当該本体３０１に連結した画像表示装置Ｓを保持する保持部３０２とから構成される。
【００４９】
前記保持部３０２は、長方形ないし短冊形であって平板状の取付面部３０６と、取付面部３０６の両端に当該取付面部３０６の長手方向に対して略直角方向に延出させた支持アーム３０７とからなる。取付面部３０６の略中央には、画像表示装置Ｓを保持するホルダ３０８が回転可能な状態で設けられている。ホルダ３０８の詳細な構造及び動作は、上記の通りである。保持部３０２は、全体がＵ字形状となる。保持部３０２の全体は、樹脂のプレートで一体成形しても良いし、端縁を可撓性のある金属ワイヤーで構成してワイヤーの間に布や樹脂板を設けた構成でも良い。保持部３０２は、画像表示装置Ｓの重量を支持できるのに十分な剛性を持たせる。
【００５０】
また、前記支持アーム３０７は、端部から長手方向に沿って長穴３７１が形成されている。長穴３７１には、固定用のボルトナット３７２が取り付けられている。
【００５１】
保持部３０２の支持アーム３０７は、前記本体３０１の側枕部３０４の長手方向中心に挿入されて連結している。側枕部３０４の長手方向と支持アーム３０７の長手方向は略一致しており、換言すれば側枕部３０４を直線的に延長したように当該支持アーム３０７が側枕部３０４に連結される。そして、側枕部３０４の挿入部入口には、固定用の環部材３１０が設けられ、この環部材３１０に支持アーム３０７の端部が挿通され、且つ、前記ボルトナット３７２がこの環部材３１０を貫通して、所定位置で側枕部３０４を支持アーム３０７に固定できる。これにより、図１９に示すように、側枕部３０４を支持アーム３０７に対して伸張可能となる。
【００５２】
側枕部３０４は、内部に金属フレームが設けられると共にその金属フレームの周囲にクッション材を設け、外側に布材で覆った構造である。クッション材には、ウレタン、綿、羽根等を用いる。
【００５３】
また、支持アーム３０７と支持アーム３０７との間には、回転アーム３７３が渡されている。この回転アーム３７３は、前記ボルトナット３７２でその端部で回転可能に支持されており、途中から略直角に折り曲がり、更に、中央位置に凹部３７４を形成するように折り曲げ形成されている。凹部３７４には、クッションが設けられる。また、回転アーム３７３は、前記ボルトナット３７２により所望の回転位置で固定が可能であり且つ前記環部材３１０を貫通したボルトナット３７２で回転支持されていることから、当該環部材３１０と共に前記支持アーム３０７に沿って移動可能である。
【００５４】
図２０乃至図２３は、上記支持具の使用方法を示す説明図である。まずホルダ８に画像表示装置Ｓを保持する。支持具３００を寝た状態で使用する場合、図２０に示すように、回転アーム３７３を支持アーム３０７に対して６０度〜１１０度の範囲で回転させる。そして、図２１及び図２２に示すように、側枕部３０４を体の両方に位置させると共に床面に当該側枕部３０４を置く。この状態で前記回転アーム３７３の凹部３７４のクッションが胸のあたりに載る格好になり、支持具全体が３点支持される。図２１及び図２２では、ユーザが適当な枕Ｍを併用している状態を示しているが、これは必須ではない。この状態でホルダ３０８に保持した画像表示装置Ｓがユーザの顔に向いた状態になり、ユーザは、指で画像表示装置Ｓの画面を操作できる。
【００５５】
次に、図２３に示すように、ソファに座って使用する場合、側枕部３０４を体の両側に位置させ（又は両脇の間に挟むような恰好とし）、前記回転アーム３７３をその凹部３７４がユーザのおなか又は膝の位置にくるようにする。この状態で支持具３００が回転アーム３７３に支えられて支持されるようになり、ホルダ３０８に保持した画像表示装置Ｓがユーザの顔に向く。ユーザは、指で画像表示装置Ｓの画面を操作できる。
【００５６】
また、図２４に示すように、ユーザが横になって使用する場合、側枕部４を枕にして寝転ぶ。この状態でホルダに装着した画像表示装置Ｓがユーザを向くので、ユーザは指で画像表示装置Ｓの画面を操作できる。このとき、回転アーム３７３を所望の角度に調整し、腕を凹部３７４にひっかけて使用するようにすれば、腕が疲れない。
【００５７】
図２５は、上記支持具の変形例を示す斜視図である。前記回転アーム３５０は、上記回転アーム３７３の凹部３７４を省略して２分割した状態とし、それぞれが直線的な形状にしても良い。
【００５８】
図２６は、上記支持具の変形例を示す斜視図である。この支持具では、上記側枕部３０４の間に後頭部を支持する枕部３０３を設けた点に特徴がある。この枕部３０３は、ユーザが仰向け又は横向きに寝た場合に後頭部を支持することになるので、快適である。
【００５９】
また、上記実施の形態では、画像表示装置Ｓを支持対象として例示したが、これに限定されない。例えば、文庫本やコミック本等の書籍も支持可能である（図示省略）。
【符号の説明】
【００６０】
１００  支持具
１  本体
２  保持部
３  枕部
４  側枕部
５  突起部
６  取付面部
７  支持アーム
８  ホルダ
【図１】
2016067851.tif 000003
【図２】
2016067851.tif 000004
【図３】
2016067851.tif 000005
【図４】
2016067851.tif 000006
【図５】
2016067851.tif 000007
【図６】
2016067851.tif 000008
【図７】
2016067851.tif 000009
【図８】
2016067851.tif 000010
【図９】
2016067851.tif 000011
【図１０】
2016067851.tif 000012
【図１１】
2016067851.tif 000013
【図１２】
2016067851.tif 000014
【図１３】
2016067851.tif 000015
【図１４】
2016067851.tif 000016
【図１５】
2016067851.tif 000017
【図１６】
2016067851.tif 000018
【図１７】
2016067851.tif 000019
【図１８】
2016067851.tif 000020
【図１９】
2016067851.tif 000021
【図２０】
2016067851.tif 000022
【図２１】
2016067851.tif 000023
【図２２】
2016067851.tif 000024
【図２３】
2016067851.tif 000025
【図２４】
2016067851.tif 000026
【図２５】
2016067851.tif 000027
【図２６】
2016067851.tif 000028